(57)【特許請求の範囲】
【請求項１】
外装箱と、
該外装箱の対向する側面の内側との間に所定の空間を隔てて配置される一対の支持片と、該一対の支持片の対向する位置に形成される少なくとも一対のスリットと、を有する支持部材と、
折曲線を介して二つ折り可能な板材と、該板材の片面に重なるとともに、少なくとも一方向を残して周縁部が前記板材に固定された伸縮性のフィルムと、を有する挟持部材と、
で構成され、
前記フィルムは、前記板材の前記折曲線に直交する方向に沿って前記板材の表面の略全域に重なり、更に、前記折曲線に直交する方向に延伸して、前記板材の側面及び裏面と相対するように折り返して重なるとともに、前記折曲線に直交する方向における両端部のみが前記板材の裏面に固定されており、
前記挟持部材は、前記折曲線を挟んで一方側と他方側の前記板材と前記フィルムとの隙間に被梱包物を挿入可能であり、
前記板材と前記フィルムとの隙間に被梱包物を挿入した状態で、前記折曲線において前記フィルム側が山折りとなるように二つ折りにした前記挟持部材の前記折曲線の延在方向の両端部を、前記支持部材の対をなす前記スリットに挿入して折り曲げ状態で支持することを特徴とする多品種集約梱包体。
【請求項２】
前記支持部材は、前記各支持片の下端部が折曲線を介して連設される台座部を有し、前記各支持片は、前記台座部と前記外装箱の対向する側面の内側とで斜めに支持されることを特徴とする請求項１に記載の多品種集約梱包体。
【請求項３】
前記挟持部材は、前記折曲線の延在方向の両端部における周縁の一部が前記スリットに挿入されることを特徴とする請求項１又は請求項２に記載の多品種集約梱包体。
【請求項４】
前記フィルムは、前記折曲線と直交する方向の両端部が前記板材に固定されることを特徴とする請求項１乃至請求項３のいずれかに記載の多品種集約梱包体。
【請求項５】
前記フィルムは、ウレタン系樹脂製のストレッチフィルムであることを特徴とする請求項１乃至請求項４のいずれかに記載の多品種集約梱包体。
【発明の詳細な説明】
【技術分野】
【０００１】
本発明は、製品を複数個収納して梱包するための梱包体に関し、特に、大きさや形状の異なる多種類の製品を集約して梱包できる梱包体に関するものである。
【背景技術】
【０００２】
従来、各種の製品を梱包して流通させる場合、落下や振動等による外力が直接製品（被梱包物）に作用して製品が破損したり、梱包箱の内部で製品が移動して破損したりすることがないように、各種の緩衝材を用いた包装形態が広く利用されている。具体的には、製品の形状に合わせて成形した発泡成形体や紙製成形体（パルプモールド）、或いは、段ボールシートを折り曲げて形成した緩衝体に製品を嵌め込み支持する方法や、製品を発泡緩衝シートで被覆したり、製品と梱包箱との隙間に発泡樹脂製のチップを充填したりする方法が知られている。
【０００３】
しかし、製品の形状に合わせて成形した発泡成形体や紙製成形体、段ボール製の緩衝体を用いる場合、形状や大きさの異なる製品を梱包するためには多数の成形体や緩衝体を用意しておき、その中から製品に適合するものを選択して使用する必要があり、部材点数が増加するとともに梱包作業性も低下する。また、発泡緩衝シートや発泡樹脂製のチップを用いる場合、梱包作業に時間を要するとともに、開梱後に発泡緩衝シートや発泡樹脂製のチップが散乱し易いという問題点があった。
【０００４】
そこで、被梱包物を簡単な構成で支持するとともに、落下や振動による外力が直接製品に加わらないようにした包装体が提案されており、例えば特許文献１には、窓開き部に伸縮フィルムが貼着された一対の物品保持具の伸縮フィルムで被保持物品を挟圧すると共に、挟圧姿勢を拘束する拘束手段により被保持物品を保持し、一対の物品保持具の互いに当接する二組の台形状フラップを互いに乖離する方向に略９０度折り曲げると共に、一対の前記物品保持具の互いに当接する当接する二組の矩形状フラップを、それぞれが当接する台形状フラップの傾斜辺と同一角度で折り曲げ、物品保持具の一対の基板がその内面の対角線に位置するように、かつ、動かないように窮屈な状態で外装カートン内に収納した包装箱が開示されている。
【０００５】
また、特許文献２には、保持領域部と、保持領域部の周縁に沿って形成される折り曲げ自在な屈曲片部とを有する台紙と、台紙上に重ねられて、端部が屈曲片部まで延び屈曲片部に一部が接着され他の一部が掛止片により掛け止め可能となり、または掛止片だけで掛け止め可能となっているフィルムとを用い、フィルムの開放された縁部から被包装物を保持領域部上に挿入すると共に掛止片にフィルムを掛止めて屈曲片部を折り曲げ、フィルムを緊張させて被包装物を保持領域部に押しつけて保持する物品の包装構造が開示されている。
【先行技術文献】
【特許文献】
【０００６】
【特許文献１】特開２００８−１７９４１３号公報
【特許文献２】特許第３３０６４０５号公報
【発明の概要】
【発明が解決しようとする課題】
【０００７】
しかしながら、特許文献１の包装箱では、一対の物品保持具で被保持物品を挟持した状態では、伸縮フィルムの復元力が物品保持具を離反させる方向に作用するため、被保持物品を挟持した物品保持具を外装カートン内に収納する作業が困難であった。また、特許文献２の包装構造では、台紙の保持領域部に被包装物を挿入した後、フィルムの一端を掛止片に掛け止めて屈曲片部を折り曲げる必要があり、包装作業が煩雑であるという問題点があった。
【０００８】
本発明は上記問題点に鑑み、形状や大きさの異なる多種類の被梱包物を落下や振動による外力が直接加わらないように簡単に支持することができ、且つ、部材点数も少なく梱包作業性にも優れた梱包体を提供することを目的としている。
【課題を解決するための手段】
【０００９】
上記目的を達成するために本発明は、外装箱と、該外装箱の対向する側面の内側との間に所定の空間を隔てて配置される一対の支持片と、該一対の支持片の対向する位置に形成される少なくとも一対のスリットと、を有する支持部材と、折曲線を介して二つ折り可能な板材と、該板材の片面に重なるとともに、少なくとも一方向を残して周縁部が前記板材に固定された伸縮性のフィルムと、を有する挟持部材と、で構成され、前記板材と前記フィルムとの隙間に被梱包物を挿入した状態で、前記折曲線において前記フィルム側が山折りとなるように二つ折りにした前記挟持部材の前記折曲線の延在方向の両端部を、前記支持部材の対をなす前記スリットに挿入して折り曲げ状態で支持する多品種集約梱包体である。
【００１０】
また本発明は、上記構成の多品種集約梱包体において、前記支持部材は、前記各支持片の下端部が折曲線を介して連設される台座部を有し、前記各支持片は、前記台座部と前記外装箱の対向する側面の内側とで斜めに支持されることを特徴としている。
【００１１】
また本発明は、上記構成の多品種集約梱包体において、前記挟持部材は、前記折曲線の延在方向の両端部における周縁の一部が前記スリットに挿入されることを特徴としている。
【００１２】
また本発明は、上記構成の多品種集約梱包体において、前記フィルムは、前記折曲線と直交する方向の両端部が前記板材に固定されることを特徴としている。
【００１３】
また本発明は、上記構成の多品種集約梱包体において、前記フィルムは、ウレタン系樹脂製のストレッチフィルムであることを特徴としている。
【発明の効果】
【００１４】
本発明の第１の構成によれば、板材とフィルムとの間に被梱包物を挟持して支持する挟持部材を用いるため、同一の挟持部材を用いて形状や大きさの異なる多種類の製品を梱包することができ、部材点数を削減できるとともに梱包作業性も向上する。また、支持部材のスリットに折り曲げ状態で挿入された挟持部材は、フィルムにテンション（張力）が掛かった状態が維持されるため、板材とフィルムとの間に挿入された被梱包物はフィルムの収縮力によって板材に圧接される。その結果、被梱包物の移動やガタつきが抑制される。また、フィルムの伸縮により落下や振動等による衝撃を効果的に吸収できるため、輸送時における被梱包物の破損を抑制することができる。
【００１５】
また、本発明の第２の構成によれば、上記第１の構成の多品種集約梱包体において、支持部材の各支持片は、台座部と外装箱の対向する側面の内側とで斜めに支持されるため、各支持片は上方に向かって広がるテーパー状に支持される。従って、各支持片に形成される対をなすスリットも上方に向かって広がるテーパー状になり、梱包時における挟持部材の挿入、及び開梱時における挟持部材の取り外しが容易となる。
【００１６】
また、本発明の第３の構成によれば、上記第１又は第２の構成の多品種集約梱包体において、挟持部材は、折曲線の延在方向の両端部における周縁の一部がスリットに挿入されることにより、スリットに挿入された挟持部材の周縁の一部はスリットから突出する。これにより、開梱時に挟持部材をスリットから抜き取る際に、挟持部材の両端部がスリットに引っ掛かり難くなる。
【００１７】
また、本発明の第４の構成によれば、上記第１乃至第３のいずれかの構成の多品種集約梱包体において、折曲線と直交する方向のフィルムの両端部が板材に固定されるため、挟持部材の折曲線方向のどちら側からでも被梱包物を挿入することができ、梱包作業性が向上する。また、板材の折り曲げによってフィルムが大きく引き伸ばされるため、板材とフィルムとの間に被梱包物を確実に保持することができる。
【００１８】
また、本発明の第５の構成によれば、上記第１乃至第４のいずれかの構成の多品種集約梱包体において、挟持部材のフィルムとして、伸長性、復元性、引っ張り強度、引き裂き強度、突き刺し強度、耐摩耗性等に優れたウレタン系樹脂製のストレッチフィルムを用いることにより、被梱包物を一層確実に保持して輸送中の破損等を防止するとともに、挟持部材の繰り返し使用も可能となる。
【図面の簡単な説明】
【００１９】
【図１】本発明の多品種集約梱包体１００を構成する挟持部材１の第一例を表面側から見た平面図
【図２】挟持部材１の第一例を裏面側から見た平面図
【図３】挟持部材１の第一例を図１の下方向から見た側面図
【図４】挟持部材１の第一例の板材２とフィルム３との隙間４に被梱包物を挿入した状態を示す斜視図
【図５】本発明の多品種集約梱包体１００を構成する挟持部材１の第二例を表面側から見た平面図
【図６】挟持部材１の第二例を裏面側から見た平面図
【図７】挟持部材１の第二例を図５の下方向から見た側面図
【図８】挟持部材１の第二例の板材２とフィルム３との隙間４に被梱包物を挿入した状態を示す斜視図
【図９】本発明の多品種集約梱包体１００を構成する支持部材６を上方から見た平面図
【図１０】支持部材６を図９の左方向から見た側面図
【図１１】支持部材６を図９の下方向から見た側面図
【図１２】製品５ａ、５ｂが挿入された挟持部材１を、折曲線２ａにおいて板材２を表面側（フィルム３側）が山折りとなるように二つ折りにした状態を示す側面図
【図１３】本発明の多品種集約梱包体１００を構成する外装箱１０内に支持部材６を配置した状態を示す平面図
【図１４】外装箱１０内に支持部材６を配置した状態を示す側面断面図
【図１５】外装箱１０内に配置された支持部材６のスリット９に挟持部材１を挿入した状態を示す平面図
【図１６】外装箱１０内に配置された支持部材６のスリット９に挟持部材１を挿入した状態を示す側面断面図
【図１７】本発明の多品種集約梱包体１００を構成する支持部材６の他の例を示す平面図
【図１８】図１７の支持部材６を外装箱１０内に配置した状態を示す側面断面図
【発明を実施するための形態】
【００２０】
以下、図面を参照しながら本発明の実施形態について詳細に説明する。図１及び図２は、本発明の多品種集約梱包体１００を構成する挟持部材１の第一例を表面側及び裏面側から見た平面図であり、図３は、挟持部材１を図１の下方向から見た側面図である。挟持部材１は、矩形状の板材２と、板材２の表面に重なる伸縮性のフィルム３とで構成されている。
【００２１】
板材２は、段ボールシートを矩形状に切断したものであり、第一例では図１で示す左右方向を図１で示す上下方向よりも長く設定した横長矩形状を採用しているが、特に、これに限定するものではなく、図１で示す左右方向を図１で示す上下方向よりも短く設定した縦長矩形状でも、図１で示す左右方向を図１で示す上下方向と長さを同一に設定した正方形状でも問題なく使用できる。なお、本明細書では、上記の理由から、板材２の方向及び辺を折曲線２ａに直交する方向（辺）と平行な方向（辺）と表現して説明する。まず、板材２は、折曲線２ａに直交する方向（図１の左右方向）の中央部には、板材２を長手方向に２分割する折曲線２ａが設けられている。折曲線２ａは、折罫線、ミシン目、ハーフカットライン等で形成することができる。
【００２２】
フィルム３は、板材２の折曲線２ａに直交する方向（図１の左右方向）に沿って板材２の表面の略全域に重なり、折曲線２ａに直交する方向（図１の左右方向）における両端部３ａ、３ｂと相対する板材２の表面の二辺（図１の左辺または右辺）に沿ってその近傍に接着剤や両面粘着テープ等によって固定されている。これにより、フィルム３と板材２の表面との間には隙間４が形成されている。フィルム３の材質としては、一般のストレッチ物流システムに使用されるウレタン系樹脂、オレフィン系樹脂、塩化ビニル系樹脂等からなるストレッチフィルムが適当であるが、特に、伸長性、復元性、引っ張り強度、引き裂き強度、突き刺し強度、耐摩耗性等において優れたウレタン系樹脂製のストレッチフィルムが好ましい。
【００２３】
図４は、挟持部材１の板材２とフィルム３との隙間４に被梱包物を挿入した状態を示す斜視図である。図４では、折曲線２ａを挟んで片側（図の右側）には直方体状の製品５ａを３個挿入し、もう片側（図の左側）には円筒状の製品５ｂを１個挿入している。製品５ａ、５ｂの挿入によって、フィルム３は初期状態から所定量引き伸ばされる。
【００２４】
図５及び図６は、本発明の多品種集約梱包体１００を構成する挟持部材１の第二例を表面側及び裏面側から見た平面図であり、図７は、挟持部材１を図５の下方向から見た側面図である。挟持部材１は、矩形状の板材２と、板材２の表面に重なる伸縮性のフィルム３とで構成されている点では、図１〜図４に示した挟持部材１の第一例と同じであるが、フィルム３のサイズ、更には固定位置が異なっており、フィルム３は、板材２の折曲線２ａに直交する方向（図１の左右方向）に沿って板材２の表面の略全域に重なり、更に、折曲線２ａに直交する方向（図１の左右方向）に延伸して、板材２の側面及び裏面と相対するように折り返して重なっており、折曲線２ａに直交する方向（図１の左右方向）における両端部３ａ、３ｂ（板材２の裏面と相対する領域）のみが板材２の裏面に接着剤や両面粘着テープ等によって固定されている。これにより、フィルム３と板材２の表面との間には隙間４が形成されている。フィルム３の材質としては、第一例と同じである。
【００２５】
図８は、挟持部材１の板材２とフィルム３との隙間４に被梱包物を挿入した状態を示す斜視図である。図６では、折曲線２ａを挟んで片側（図の右側）には直方体状の製品５ａを３個挿入し、もう片側（図の左側）には円筒状の製品５ｂを１個挿入している。製品５ａ、５ｂの挿入によって、フィルム３は初期状態から所定量引き伸ばされる。
【００２６】
図１〜図４に示した挟持部材１の第一例では、板材２の裏側にまでフィルム３を重ねて固定するものではない点で、板材２をライン上に流しつつ、板材２に接着剤や両面粘着テープ等の固定手段を形成し、その上からフィルム３を重ねることにより、板材２にフィルム３を固定する加工が可能である。すなわち、挟持部材１の第一例は、既存の加工ラインでの生産に適している点で好ましい。また、図５〜図８に示した挟持部材１の第二例では、板材２の表側にてフィルム３を重ねて固定する必要がない点で、フィルム３と板材２の表面との間に形成する隙間４をより大きくすることが可能である。すなわち、挟持部材１の第二例は、被梱包物の収納効率の点で好ましい。
【００２７】
図９は、本発明の多品種集約梱包体１００を構成する支持部材６を上方から見た平面図であり、図１０及び図１１は、それぞれ支持部材６を図９の左方向または下方向から見た側面図である。支持部材６は、一枚の段ボールシートを折り曲げて形成されており、矩形状の台座部７と、台座部７の対向する二辺に折曲線を介して連設される一対の支持片８ａ、８ｂとで構成されている。各支持片８ａ、８ｂには、垂直方向に複数（ここでは４つ）のスリット９が形成されている。スリット９は、各支持片８ａ、８ｂの対向する位置に対をなすように、計４対形成されている。
【００２８】
以下、本発明の多品種集約梱包体１００を用いた製品の梱包手順について説明する。なお、ここでは第一例の挟持部材１を用いた梱包手順について説明する。先ず、図４に示すように、挟持部材１の板材２とフィルム３との隙間４に被梱包物（製品５ａ、５ｂ）を挿入する。フィルム３は挟持部材１の折曲線２ａと直交する方向（図１、図２の左右方向）の両端部３ａ、３ｂが板材２に固定されているため、挟持部材１の長手方向（図１の上下方向）のどちら側からでも製品５ａ、５ｂを挿入することができる。
【００２９】
次に、図１２に示すように、製品５ａ、５ｂが挿入された挟持部材１を、折曲線２ａにおいて板材２を表面側（フィルム３側）が山折りとなるように二つ折りにする。このとき、フィルム３は折り曲げ方向の両端部３ａ、３ｂが板材２に固定されているため、板材２の折り曲げによってさらに引き伸ばされる。また、挟持部材１には、折り曲げられた板材２の復元力と、引き伸ばされたフィルム３の収縮力とで折り曲げ状態が開く方向（図１２の矢印ＡＡ′方向）の力が作用する。
【００３０】
一方、多品種集約梱包体１００を構成する外装箱１０を用意し、予め外装箱１０内に支持部材６を配置しておく。図１３は、本発明の多品種集約梱包体１００を構成する外装箱１０内に支持部材６を配置した状態を示す平面図であり、図１４は、外装箱１０内に支持部材６を配置した状態を示す側面断面図（図１３のＸＸ′矢視断面図）である。図１３及び図１４に示すように、外装箱１０内に支持部材６を配置すると、支持片８ａ、８ｂは外装箱１０の対向する側面１０ａ、１０ｂの内側に斜めに立て掛けられた状態となる。これにより、支持片８ａと側面１０ａ、支持片８ｂと側面１０ｂとの間に空間Ｓが形成される。
【００３１】
次に、図１２に示すように折り曲げられた挟持部材１の、折曲線２ａの延在方向の両端部を、折曲線２ａ側が外装箱１０の開口部を向くように（上向きに）して、支持片８ａ、８ｂの対向する（対をなす）スリット９の上方から挿入する。図１５は、外装箱１０内に配置された支持部材６のスリット９に挟持部材１を挿入した状態を示す平面図であり、図１６は、外装箱１０内に配置された支持部材６のスリット９に挟持部材１を挿入した状態を示す側面断面図（図１５のＸＸ′矢視断面図）である。
【００３２】
支持片８ａ、８ｂのスリット９に挟持部材１を挿入していくと、図１６に示すように、スリット９を通過した挟持部材１の両端部は空間Ｓに突出する。上述したように、板材２には折り曲げ状態が開く方向の力が作用するが、各スリット９の幅は折り曲げられた板材２の厚みよりも僅かに広く設定されているため、スリット９に挿入された挟持部材１は折り曲げ状態を保持しながら支持部材６に支持される。
【００３３】
ここで、支持片８ａ、８ｂは上方に向かって広がるテーパー状に支持されているため、各支持片８ａ、８ｂに形成される対をなすスリット９も上方に向かって広がるテーパー状になり、梱包時における挟持部材１のスリット９への挿入、及び開梱時における挟持部材１のスリット９からの抜き取りが容易となる。また、挟持部材１は、折曲線２ａの延在方向の両端部における周縁の一部（上端部を除いた部分）がスリット９に挿入されている。これにより、多品種集約梱包体１００の開梱時に挟持部材１をスリット９から抜き取る際に、挟持部材１の上端部がスリット９の上端縁に引っ掛かり難くなり、挟持部材１を支持部材６から円滑に取り外すことができる。
【００３４】
その後、外装箱１０のフラップ１１ａ、１１ｂ及び蓋片１２ａ、１２ｂを順次閉じて梱包用テープ等で封止し、本発明の多品種集約梱包体１００による梱包作業が終了する。
【００３５】
本発明の多品種集約梱包体１００は、板材２と伸縮性のフィルム３との間に製品５ａ、５ｂを挟持して支持する挟持部材１を用いるため、形状や大きさの異なる製品５ａ、５ｂを安定して支持することができる。従って、同一の挟持部材１を用いて形状や大きさに関係なく多種類の製品を梱包することができ、部材点数を削減できるとともに梱包作業性も向上する。
【００３６】
また、支持部材６のスリット９に挿入された挟持部材１は、フィルム３にテンション（張力）が掛かった状態が維持されるため、板材２とフィルム３との間に挿入された製品５ａ、５ｂはフィルム３の収縮力によって板材２に圧接される。その結果、製品５ａ、５ｂの移動やガタつきが抑制される。また、フィルム３は伸縮性を有するため、落下や振動等による衝撃を効果的に吸収することができる。従って、輸送時における製品５ａ、５ｂの破損を抑制することができる。
【００３７】
また、多品種集約梱包体１００を開梱する際は、外装箱１０を開封した後、スリット９から挟持部材１を抜き取り、図１２に示した折り曲げ状態を開いて図４の状態に戻す。これにより、フィルム３に掛かったテンションも解放され、板材２とフィルム３との隙間４から製品５ａ、５ｂを容易に取り出すことができる。
【００３８】
図１７は、本発明の多品種集約梱包体１００を構成する支持部材６の他の例を示す平面図であり、図１８は、図１７の支持部材６を外装箱１０内に配置した状態を示す側面断面図である。図１７及び図１８に示す支持部材６は、台座部７の対向する二辺に立設される一対の支持片８ａ、８ｂが逆Ｌ字状に屈曲しており、スリット９は支持片８ａ、８ｂの下端部からＬ字の屈曲部を超える位置まで連続して形成されている。
【００３９】
支持部材６を外装箱１０内に配置したとき、Ｌ字の先端部が外装箱１０の対向する側面１０ａ、１０ｂの内側に接触する。これにより、支持片８ａと側面１０ａ、支持片８ｂと側面１０ｂとの間に空間Ｓが形成される。
【００４０】
上記のような支持部材６においても、支持片８ａ、８ｂの対向する（対をなす）スリット９の上方から挟持部材１の両端部を挿入することで、挟持部材１の折り曲げ状態を保持しながら支持部材６に支持することができる。
【００４１】
その他本発明は、上記実施形態に限定されず、本発明の趣旨を逸脱しない範囲で種々の変更が可能である。例えば、上記実施形態では、支持片８ａ、８ｂに４対のスリット９を形成したが、スリット９の個数や寸法、各スリット９間の間隔等は、挟持部材１の個数や大きさ、厚み、挟持部材１に挟持される被梱包物（製品５ａ、５ｂ）の大きさ等に応じて適宜設定すれば良い。
【００４２】
また、上記実施形態では、二つ折りにした挟持部材１を、折曲線２ａ側が上向きとなるようにスリット９に挿入したが、折曲線２ａ側が下向きとなるように挟持部材１を挿入しても良い。さらに、上記実施形態では、フィルム３は挟持部材１の折曲線２ａと直交する方向（図１、図５の左右方向）の両端部３ａ、３ｂを板材２に固定されているが、挟持部材１の折曲線２ａと平行な方向（図１、図５の上下方向）の端部を板材２に固定することもできる。しかし、挟持部材１の折曲線２ａと直交する方向（図１の左右方向）の両端部３ａ、３ｂを固定した場合、挟持部材１の折り曲げによってフィルム３が大きく引き伸ばされ、フィルム３のテンションも強くなるため、製品５ａ、５ｂを確実に保持することができる点で好ましい。
【００４３】
また、フィルム３の両端部３ａ、３ｂに加えて、フィルム３の折曲線２ａと並行な方向（図１の上下方向）の両端部のうちの一方を相対する板材２の一辺（図１の上辺または下辺）に沿ってその近傍に接着しても良い。この場合、フィルム３の三方が板材２に接着されるため、被梱包物を挿入する隙間４が袋状となり、梱包時や開梱時に製品５ａ、５ｂが落下し難くなる。
【産業上の利用可能性】
【００４４】
本発明は、多種類の製品を集約して梱包する梱包体に利用可能である。本発明の利用により、形状や大きさの異なる多種類の被梱包物を、落下や振動による外力が直接加わらないように簡単に支持することができ、且つ、部材点数も少なく梱包作業性に優れ、開封時における被梱包物の取り出しも容易な梱包体を提供することができる。
【符号の説明】
【００４５】
１                挟持部材
２                板材
２ａ              折曲線
３                フィルム
３ａ、３ｂ        （折り曲げ方向の）フィルム端部
４                隙間
５ａ、５ｂ        製品（被梱包物）
６                支持部材
７                台座部
８ａ、８ｂ        支持片
９                スリット
１０              外装箱
１０ａ、１０ｂ    側面
１００            多品種集約梱包体
【図１】
0005948907.tif 000002
【図２】
0005948907.tif 000003
【図３】
0005948907.tif 000004
【図４】
0005948907.tif 000005
【図５】
0005948907.tif 000006
【図６】
0005948907.tif 000007
【図７】
0005948907.tif 000008
【図８】
0005948907.tif 000009
【図９】
0005948907.tif 000010
【図１０】
0005948907.tif 000011
【図１１】
0005948907.tif 000012
【図１２】
0005948907.tif 000013
【図１３】
0005948907.tif 000014
【図１４】
0005948907.tif 000015
【図１５】
0005948907.tif 000016
【図１６】
0005948907.tif 000017
【図１７】
0005948907.tif 000018
【図１８】
0005948907.tif 000019